(57)【特許請求の範囲】
【請求項１】
壁面等に固定可能な本体（11）と、前記本体に固定位置調整可能に設けられて上飾りレール（30）を支持するスライドプレート（12）とからなるブラケット（10）に、コーナー用本体（21）と、コーナーの上飾りレール（31）を支持するコーナー用スライドプレート（22）とからなるコーナーサポート（20）を固定した上飾りレール用ブラケットにであって、前記本体は垂直な固定板部（13）と、前記固定部から水平に延長する水平板部（14）と、前記水平板部の中間にあけた複数の止めねじ通し孔（18）とを有し、前記コーナー用本体は、ねじ孔（29）をあけた水平な固定板部（23）と、前記固定板部から水平に延長する水平板部（24）と、前記水平板部（24）の延長端近くにあけたねじ孔（27）とを有し、前記本体水平板部（14）の止めねじ通し孔（18）に下から止めねじ（28）を通してその先端を前記本体水平板部（14）上面に直交させた前記コーナーサポート（20）の前記ねじ孔（29）にねじ込んで前記コーナーサポートを前記ブラケット（10）に固定し、前記コーナー用本体水平板部（24）は逆Ｕ字形横断面を有し、前記スライドプレートは前記逆Ｕ字形横断面に摺動自在にはまり込むＵ字形横断面を有し、前記スライドプレートの中央の長孔（26）に通した止めねじ（25）の先端を前記コーナー用本体水平板部（24）の前記ねじ孔（27）にねじ込んで前記コーナー用スライドプレートを前記コーナー用本体に固定したことを特徴とする上飾りレール用ブラケット。
【発明の詳細な説明】
【０００１】
【産業上の利用分野】
本発明は上飾りスクリーン用レールを支持するブラケットの改良に関するものである。
【０００２】
【従来の技術】
上飾りスクリーンは通常のカーテンの上部の正面及び両側のコーナーを飾るものであり、通常カーテンの上方に固定したブラケットに支持された上飾りレールに取り付けられる。上飾りレールは正面の長い部分を複数のブラケットにより支持し、必要に応じて、両側のコーナー部分を両端のブラケットに取り付けたコーナーサポートにより支持する方式であった。
【０００３】
【発明が解決しようとする課題】
カーテンレールの伸縮可能なブラケットは断面逆Ｕ字形本体に断面逆Ｕ字形スライドプレートを出入位置調整可能に取り付けて全長を伸縮自在にしていたが、これを上飾りレール用に使用した場合、コーナーサポートの固定用止めねじによってスライドプレートの固定位置が限定されるため、ブラケットの伸縮範囲が小さく、寸法誤差、設置誤差の吸収は可能であるが、下のカーテンレールの列数に合わせて全長を広範囲に調整するようなことはできなかった。
【０００４】
本発明はこの問題を解決するためになされたものであり、その目的とするところは、コーナーサポートに制約されることなく、全長を自由に伸縮し、下のカーテンレールの列数に適応させることも可能な上飾りレール用ブラケットを提供することにある。
【０００５】
【課題を解決するための手段】
前記目的を達成するため、本発明が採用する手段は、ブラケットの本体の横断面を逆Ｕ字形とし、スライドプレートの横断面を本体の逆Ｕ字形横断面に摺動自在にはまるＵ字形とし、その内幅をコーナーサポートの止めねじの頭よりも広幅に形成したことにある。
【０００６】
【作用】
本体の長手方向にスライドプレートを摺動してブラケットの全長を伸縮させるとき、本体に固定したコーナーサポートの止めねじの頭よりもサイドプレートのＵ字形横断面の内幅が広いから、スライドプレートをコーナーサポートの止めねじには関係なく自由に本体の長手方向に沿って摺動させることができる。その結果、ブラケットは最大長が最小長の略２倍になるまで自由に伸縮させることができる。
【０００７】
【実施例】
本発明のブラケットを図面に示す実施例に基づいて説明する。
図１及び図２に示すように、３本以上のブラケット１０の本体１１を壁面に固定し、本体１１に固定したスライドプレート１２によってフロント側の上飾りレール３０を支持する。コーナー側の上飾りレール３１はコーナージョイント３２を介して上飾りレール３０の両端に直角に接続し、その中間部を両端のブラケット１０に固定したコーナーサポート２０によって支持する。図示していないが、ブラケット１０の下には通常のカーテンレールとそれを支持するカーテンレール用ブラケットが位置する。
【０００８】
図３に示すように、ブラケット１０の本体１１はプレス板金製であり、壁面等に固定する垂直な固定板部１３から水平に水平板部１４が延長する。固定板部１３には壁面等へ固定する止めねじを通す固定孔１９が設けられる。水平板部１４の横断面は逆Ｕ字形であり、水平板部１４の下面に沿って延長するスライドプレート１２は横断面がＵ字形である。スライドプレート１２には中央に止めねじ１５を通す長孔１６があけられ、水平板部１４には止めねじ１５をねじ込むねじ孔１７が延長端近くにあけられている。
【０００９】
スライドプレート１２の先端には上飾りレールを固定支持する締板３３が止めねじ３４を介して取り付けられ、締板３３はスライドプレート１２にあけた位置決め孔３５に位置決め突起３６をはめて位置決めされる。スライドプレート１２と水平板部１４は長さが略同一であり、横断面逆Ｕ字形の水平板部１４の内部に横断面Ｕ字形のスライドプレート１２がすっぽりはまって長手方向に摺動するから、ブラケット１０の最小長は水平板部１４の長さとなり、最大長は最小長の略２倍となる。
【００１０】
水平板部１４の中間にあけられた２つの止めねじ通し孔１８の１つに止めねじ２８を下から通し、水平板部１４の上面に直交配置したコーナーサポート２０のねじ孔２９にねじ込んでコーナーサポート２０をブラケット１０に固定する。このコーナーサポート２０を固定する止めねじ２９の頭は水平板部１４の内部に位置するが、スライドプレート１２のＵ字形横断面の内幅はこの止めねじ２９の頭よりも広いから、この止めねじ２９によってスライドプレート１２の長手方向の摺動が妨げられるおそれはない。
【００１１】
本体１１に対してスライドプレート１２を出入してブラケット１０を伸縮して上飾りレール３０の位置を調整し、寸法誤差や設置誤差を吸収する。ブラケットの伸縮範囲は大きいから、下のカーテンレールがシングルであってもダブルであっても、ブラケット全長を伸縮し、カーテンのたたみ具合いに合わせて調整することができる。
【００１２】
図４に示すように、コーナーサポート２０も長さが略同一の第２本体２１と第２スライドプレート２２から形成される。第２本体２１は水平で中高な固定部２３と、その固定部から水平に延長する水平板部２４とを備え、固定部２３にはブラケットの本体に固定するための止めねじ２９をねじ込むねじ孔２８があけられる。第２水平板部２４の横断面は逆Ｕ字形であり、その内部に横断面Ｕ字形の第２スライドプレート２２を長手方向摺動自在に収容する。第２スライドプレート２２の中央には長孔２６があけられ、その長孔に第２スライドプレート２２を第２本体２１に固定するための止めねじ２５を下から通し、第２本体２１のねじ孔２７にねじ込む。
【００１３】
第２スライドプレート２２の先端にはコーナー側の上飾りレール３１を支持して固定する締板３３が止めねじ３４を介して取り付けられ、その締板は第２スライドプレート２２にあけた位置決め孔３５に位置決め突起３６を掛けて位置決めされる。第２本体２１に対して第２スライドプレート２２を出入してコーナーサポート２０の全長を伸縮させることにより、コーナー側の上飾りレール３１の位置を自由に調整することができる。これによって、ブラケットの固定位置の変更も可能になる。
【００１４】
【発明の効果】
上記のとおり、本発明の上飾りレールを支持する伸縮ブラケットは、従来の断面逆Ｕ字形本体に同じく断面逆Ｕ字形スライドプレートを摺動自在にはめて伸縮自在にしていたため、コーナーサポートを取り付けるとブラケットの伸縮範囲が限定されてしまう方式のものとは異なり、スライドプレートの横断面をＵ字形とし、その内幅をコーナーサポート用止めねじの頭よりも大きくして、コーナーサポートを取り付けても、ブラケット全長の伸縮範囲が限定されないようにしたから、上飾りレールの寸法又は取付誤差を吸収するだけでなく、カーテンレールの列数がシングルであっても、ダブルであっても、カーテンのたたみ具合の変化に合わせて適確に全長を調整することができるという優れた効果を奏する。又、コーナーサポートを伸縮可能なものにした場合は、寸法誤差、位置誤差を吸収することができるだけでなく、ブラケットの固定位置を調整することができるという格別の効果を奏する。
【図面の簡単な説明】
【図１】は本発明の一実施例のブラケットとそのブラケットによって支持した上飾りレールの平面図、
【図２】は図１のＩＩ−ＩＩ線矢視図、
【図３】は図１のブラケットの縦断面図、
【図４】は図１のコーナーサポートの縦断面図、
【符号の説明】
１０：ブラケット、１１：本体、１２：スライドプレート、１３：固定板部、１４：水平板部、１５：止めねじ、１６：長孔、１７：ねじ孔、１８：通し孔、１９：固定孔、２０：コーナーサポート、２１：第２本体、２２：第２スライドプレート、２３：固定板部、２４：水平板部、２５：止めねじ、２６：長孔、２７：ねじ孔、２８：止めねじ、２９：ねじ孔、３０：上飾りレール（フロント側）、３１：上飾りレール（サイド側）、３２：コーナージョイント、３３：締板、３４：止めねじ、３５：位置決め孔、３６：位置決め突起
【図１】
0003582673.tif 000002
【図２】
0003582673.tif 000003
【図３】
0003582673.tif 000004
【図４】
0003582673.tif 000005